(57)【要約】      （修正有）【課題】ゴルフボールマーカー固定部品の構造を提供する。【解決手段】ゴルフボールマーカー固定部品の構造１００は、ベース部１２０と、カバー部１４０と、弾性部品と、第一固定部品１８０と、からなる。ベース部は、一つの第一固定孔を備え、カバー部は、ベース部の上に設けられるとともに、カバー部は一つの弧形容置空間を備え、弾性部品は、一つの弧形の輪郭を備えるとともに、カバー部内に設けられ、第一固定部品は、第一固定孔に固定されるとともに、ベース部の下の方に向かって延伸する。これにより、弾性部品がボールマーカーを挟んで固定するとともに、ゴルフボールマーカー固定部品の構造及びクラブを接続させることによって、操作性及び運びやすさを効果的に向上させる。更に良い点として、ボールマーカーを挟んで固定するだけでなく、適当な直径を備えた硬貨を挟んで固定するのにも用いることが可能である。【選択図】図１
0003214700.tif 000002
【実用新案登録請求の範囲】
【請求項１】
ベース部と、カバー部と、弾性部品と、第一固定部品と、からなるゴルフボールマーカー固定部品の構造であって、
前記ベース部は、一つの第一固定孔を備え、
前記カバー部は、前記ベース部の上に設けられるとともに、前記カバー部は一つの弧形容置空間を備え、
前記弾性部品は、一つの弧形の輪郭を備えるとともに、前記カバー部内に設けられ、
前記第一固定部品は、前記第一固定孔に固定されるとともに、前記ベース部の下の方に向かって延伸することを特徴とする、ゴルフボールマーカー固定部品の構造。
【請求項２】
前記弾性部品は、二つの第一湾曲部、及び少なくとも一つの第二湾曲部を備え、前記第一湾曲部はそれぞれ前記弾性部品の両端に設けられ、前記第二湾曲部は前記弾性部品の弧形の輪郭の円弧上に設けられ、その内、前記カバー部は、少なくとも一つの凹入開口部を備え、前記凹入開口部は、前記弾性部品が前記カバー部内に取り付けられる時、前記第二湾曲部の位置に対応し、前記弾性部品が前記カバー部内に取り付けられる時、前記第二湾曲部は前記凹入開口部に固定されることを特徴とする、請求項１に記載のゴルフボールマーカー固定部品の構造。
【請求項３】
前記ベース部は、更に少なくとも一つの第二固定孔を備え、前記第二固定孔の位置は、前記弾性部品が前記カバー部内に取り付けられる時、前記第二湾曲部の位置に対応し、その内、前記ゴルフボールマーカー固定部品の構造は、更に少なくとも一つの第二固定部品を備え、前記第二固定部品は前記第二固定孔に貫設されるとともに、前記第二湾曲部に固定され、前記弾性部品が前記カバー部内に固定されることを特徴とする、請求項２に記載のゴルフボールマーカー固定部品の構造。
【請求項４】
前記第一固定部品は、螺旋突起のねじ状の表面を備えることを特徴とする、請求項１に記載のゴルフボールマーカー固定部品の構造。
【請求項５】
前記第一固定部品は、複数個の互いに重なり合わない環状突起を備えることを特徴とする、請求項１に記載のゴルフボールマーカー固定部品の構造。
【考案の詳細な説明】
【技術分野】
【０００１】
本考案は、持ち運びが便利で且つ操作がしやすいゴルフボールマーカー固定部品の構造に関する。
【背景技術】
【０００２】
ゴルフというスポーツにおいて、ボールマーカー  （ＢＡＬＬ  ＭＡＲＫＥＲ）は、一つのよく見られる小部品である。ボールをグリーン上に打った後、ルールに沿ってボールを拾って拭く。しかしながら、先にボールマーカーでボールの位置をマークしておくことが必要であり、それからボールを取ることができる。簡単に小さな硬貨をボールマーカーとするゴルファーもいるが、チーム或いはクラブについて言えば、ボールマーカーは単にボールの位置をマークするだけでなく、更にチーム分けの時の分かりやすい区分方式としても用いられる場合がある。更に良いこととして、ボールマーカーのタイプ、或いはボールマーカーの模様によって、個人の好み、スタイル、或いは所属するチームを一層表現することが可能である。
【０００３】
従来の技術においては、マグネット方式を用いてボールマーカーを運ぶ方法が良く用いられてきた。例えば、ゴルフ帽子のキャップ内に一つの鉄片台座を嵌め込むとともに、ボールマーカー上に一つのマグネットを設け、ボールマーカーを上記の鉄片台座上に吸い付け、上記ゴルフ帽子の一つのアクセサリーとする。ボールマーカーでボールの位置をマークする必要がある時、上記のゴルフ帽子のキャップから、上記のマグネットを備えたボールマーカーを取って、ボールの落下点のマーカーとする。
【０００４】
しかしながら、上記の設計には、多くの問題が存在する。まず、上記のマグネットを備えたボールマーカーは鉄片台座を備えたゴルフ帽子のキャップ上に吸い付かせる必要があるため、もし使用者が帽子を被っていない場合は、上記の設計は元々の作用を失ってしまう。さらに、ゴルフは、一つの屋外スポーツである。言い換えれば、天候の変化に伴い、上記の設計内で使用される鉄の部分が、やがて酸化して錆の問題が生じる。錆の斑点により上記のゴルフ帽子の外観は大きな影響を受け、且つ酸化して錆が生じることで上記設計の耐久性を大いに低下させる。
【考案の概要】
【考案が解決しようとする課題】
【０００５】
上記の背景に鑑みて、産業上の必要に応えるため、本考案は、ゴルフボールマーカー固定部品の構造を提供する。前記ゴルフボールマーカー固定部品の構造は、操作及び持ち運びを便利にするだけでなく、更に、天候の影響を受けることで、ボールマーカーや取り付け器具が損傷を受けるのを防ぐことができる。
【０００６】
本考案は、マグネットと鉄片を吸い付ける方式ではなく、弾性材質を使用してボールマーカーを挟んで固定することによって、本考案によるゴルフボールマーカー固定部品の構造において、天候の要因によって錆の斑点の問題が生じるのを防止することが可能なゴルフボールマーカー固定部品の構造を提供することを、一つ目の目的とする。
【０００７】
本考案は、固定部品の固定の設計によって、本考案によるゴルフボールマーカー固定部品の構造が、ゴルフクラブの握り手部の尾端に取り付けられるようにすることを、二つ目の目的とする。これによって、使用者がクラブを持ち運ぶ時、同時にボールマーカーをも運ぶことができる。また、クラブを使用する時も、クラブの尾端から手軽にボールマーカーを取出し、または、収納することができる。
【０００８】
本考案は、固定部品の開口部及び輪郭状の設計によって、ボールマーカーを挟んで固定できる以外に、適当な直径の硬貨を挟んで固定することができる、ゴルフボールマーカー固定部品の構造を提供することを、三つ目の目的とする。言い換えれば、本考案によるゴルフボールマーカー固定部品の構造は、非常に広い適用性及び応用性を備える。
【課題を解決するための手段】
【０００９】
前記の目的に基づき、本明細書は、一つのゴルフボールマーカー固定部品の構造を提供する。前記ゴルフボールマーカー固定部品の構造は、ベース部と、カバー部と、弾性部品と、第一固定部品と、からなる。本明細書の設計に基づいた前記弾性部品は、一つのボールマーカーを挟んで固定させるのに用いられる。前記ボールマーカーは、前記カバー部の開口部から挿入されるとともに、前記弾性部品によって挟んで固定させる。前記第一固定部品は、ゴルフクラブの握り手の尾端に固定される。本明細書による一つの範例の内、前記のボールマーカーは、一つの適当な直径を備えた硬貨によることができる。
【図面の簡単な説明】
【００１０】
【図１】本考案の具体実施例のゴルフボールマーカー固定部品の構造の概略図である。
【図２】本考案の具体実施例のゴルフボールマーカー固定部品の構造の分解概略図である。
【図３】本考案の具体実施例のゴルフボールマーカー固定部品の構造の使用状態を示した概略図である。
【図４Ａ】本考案のもう一つの具体実施例のゴルフボールマーカー固定部品の構造の概略図である。
【図４Ｂ】本考案のもう一つの具体実施例のゴルフボールマーカー固定部品の構造の概略図である。
【考案を実施するための形態】
【００１１】
本明細書の一つの実施例に基づき、ゴルフボールマーカー固定部品の構造について説明する。図１は、本実施例によるゴルフボールマーカー固定部品構造１００の概略図である。図２は、本実施例に基づいたゴルフボールマーカー固定部品の構造１００の分解概略図である。図１及び図２を参照する。前記ゴルフボールマーカー固定部品の構造１００は、ベース部１２０と、カバー部１４０と、弾性部品１６０と、第一固定部品１８０と、からなる。前記カバー部１４０は、ベース部１２０の上に設けられるとともに、前記カバー部１４０は、一つの弧形の容置空間を備える。前記弾性部品１６０は、前記カバー部１４０の弧形容置空間内に設けられる。前記ベース部１２０は、一つの第一固定孔１２２を備え、固定孔１２２は前記ベース部１２０に貫設される。前記第一固定部品１８０は、前記第一固定孔１２２に固定されるとともに、ベース部１２０の下の方に向かって延伸する。
【００１２】
前記弾性部品１６０は、一つの弧形の輪郭を備える。前記弾性部品１６０は、弾性部品１６０の両端にそれぞれ設けられた二つの第一湾曲部１６２を備える。弾性部品１６０がカバー部１４０内に取り付けられた時、前記第一湾曲部１６２はそれぞれカバー部１４０の両端を支える。図１を参照する。
【００１３】
本実施例による好ましい範例の内、前記弾性部品１６０は、更に少なくとも一つの第二湾曲部１６４を備える。図２を参照する。前記第二湾曲部１６４は、弾性部品１６０の円弧上に設けられる。前記ベース部１２０は、更に少なくとも一つの第二固定孔１２４を備える。前記第二固定孔１２４の位置は、弾性部品１６０がカバー部１４０内に取り付けられた時、前記第二湾曲部１６４の位置に対応する。前記弾性部品１６０は、少なくとも一つの第二固定部品１６６によって第二固定孔１２４に貫設されるとともに、第二湾曲部１６４に固定され、弾性部品１６０がカバー部１４０の内に固定されるようにする。
【００１４】
本実施例のもう一つの好ましい範例によると、前記カバー部１４０は、少なくとも一つの凹入開口部を備える。前記凹入開口部は、弾性部品１６０がカバー部１４０内に取り付けられた時、前記第二湾曲部１６４の位置に対応する。弾性部品１６０がカバー部１４０内に装着された時、前記第二湾曲部１６４を前記凹入開口部に固定させることによって、弾性部品１６０をカバー部１４０内に固定させる効果がある。
【００１５】
図３を参照する。前記弾性部品１６０は、一つのボールマーカー２００を挟んで固定させるのに用いられる。前記ボールマーカー２００は、前記カバー部１４０の開口部から挿入するとともに、前記固定部品１６０によって挟んで固定する。本実施例の一つの好ましい範例によると、前記ボールマーカー２００は金属、或いはポリマー材質のボールマーカーである。本実施例のもう一つの好ましい範例において、前記ボールマーカー２００は、一つの適当な直径を備えた硬貨である。本実施例のさらに別の好ましい範例において、前記ボールマーカー２００の片側に更に一つの突起部を備える。（図示せず）ボールマーカー２００がゴルフボールマーカー固定部品の構造１００に挿入された後、前記突起部は上向きであり、且つ使用者の指とボールマーカー２００の間の摩擦力を増幅させ、ボールマーカー２００を容易に取り出しやすくする。
【００１６】
図３を参照する。前記ゴルフボールマーカー固定部品の構造１００は、ゴルフクラブ３００の尾端に取り付ける。この分野の技術者が周知のように、ゴルフクラブ３００の尾端に一つの握り手部を備える。握り手部は通常一つの弾性を備えた材質であり、また一つの弾性孔３２０を備える。前記ゴルフボールマーカー固定部品の構造１００の第一固定部品１８０は、前記弾性孔３２０に挿入され、それから、ゴルフボールマーカー固定部品の構造１００をゴルフクラブ３００の尾端に取り付けることで、持ち運びしやすくし、プレイする時、ゴルフクラブ３００からボールマーカー２００を取り出し、または、収納しやすくする効果がある。本実施例の設計によると、前記第一固定部品１８０は、一つの螺旋突起のねじ状の表面を備える。図１から図３を参照する。ゴルフボールマーカー固定部品の構造１００及びゴルフクラブ３００を接合させやすく、さらに、接合後のゴルフボールマーカー固定部品の構造１００がゴルフクラブ３００から外れ落ちないようにできる。本実施例のもう一つの好ましい範例において、前記第一固定部品１８０は、複数個の互いに重ならない環状の突起を備え、接合後のゴルフボールマーカー固定部品の構造１００がゴルフクラブ３００から外れ落ちないようにすることができる。
【００１７】
本明細書のもう一つの実施例において、ゴルフボールマーカー固定部品の構造４００は、ベース部４２０と、カバー部４４０と、弾性部品４６０と、第一固定部品４８０と、からなる。図４Ａ及び図４Ｂを参照する。前記カバー部４４０は、ベース部４２０の上に設けられるとともに、前記カバー部４４０は、一つの弧形の容置空間を備える。前記弾性部品４６０は、前記カバー部４４０の弧形容置空間内に設けられる。前記ベース部４２０は、一つの第一固定孔４２２を備える。前記の第一固定部品４８０は、前記第一固定孔４２２に固定されるとともに、ベース部４２０の下の方に向かって延伸する。
【００１８】
前記弾性部品４６０は、一つの弧形の輪郭を備える。前記弾性部品４６０は、二つの第一湾曲部４６２を備え、それぞれ弾性部品４６０の両端に設けられる。弾性部品４６０がカバー部４４０内に取り付けられた時、前記の第一湾曲部４６２はそれぞれカバー部４４０の両端を支える。図４Ａを参照する。本実施例の一つの好ましい範例において、前記弾性部品４６０は、更に少なくとも一つの第二湾曲部４６４を備える。図４Ａ及び図４Ｂを参照する。前記の第二湾曲部４６４は、弾性部品４６０の円弧上に設けられる。本実施例の一つの好ましい範例において、前記カバー部４４０は、少なくとも一つの凹入開口部４４２を備える。前記凹入開口部４４２は、弾性部品４６０がカバー部４４０内に取り付けられた時、前記第二湾曲部４６４の位置に対応する。弾性部品４６０がカバー部４４０内に取り付けられた時、前記第二湾曲部４６４によって前記凹入開口部４４２に固定させ、弾性部品４６０をカバー部４４０内に固定させる効果がある。
【００１９】
前記弾性部品４６０は、一つのボールマーカーを挟んで固定させるのに用いられる。前記ボールマーカーは、前記カバー部４４０の開口部に挿入されるとともに、前記固定部品４６０によって挟んで固定される。本実施例の一つの好ましい範例において、前記ボールマーカーは金属、或いはポリマー材質のボールマーカーである。本実施例のもう一つの好ましい範例において、前記ボールマーカーは、適切な直径を備えた硬貨である。本実施例の別の好ましい範例において、前記ボールマーカーの片側には、更に一つの突起部を備え、前記ボールマーカーがゴルフボールマーカー固定部品構造４００に挿入された後、前記突起部は上向きであり、且つ使用者の指と前記ボールマーカーの間の摩擦力を増幅させ、前記ボールマーカーが容易に取り出しやすいようにする。
【００２０】
前記のゴルフボールマーカー固定部品の構造４００はゴルフクラブの尾端に取り付ける。この分野の技術者が周知のように、ゴルフクラブの尾端は、一つの握り手部を備える。握り手部は通常一つの弾性を備えた材質であり、また一つの弾性孔を備える。前記ゴルフボールマーカー固定部品の構造４００の第一固定部品４８０は前記弾性孔に挿入され、それから、ゴルフボールマーカー固定部品構造４００をゴルフクラブの尾端に取り付けることで、持ち運びしやすくし、更にプレイをする時に、ゴルフクラブからボールマーカーを取り出し、または、収納しやすくする効果がある。本実施例の設計によると、前記第一固定部品４８０は一つの螺旋突起のねじ状の表面を備え、ゴルフボールマーカー固定部品の構造４００及びゴルフクラブを接合しやすくするとともに、接合後のゴルフボールマーカー固定部品の構造４００がゴルフクラブから外れ落ちないようにする。本実施例のもう一つの好ましい範例において、前記第一固定部品４８０は複数個の互いに重なり合わない環状突起を備え、接合後のゴルフボールマーカー固定部品の構造４００が、ゴルフクラブから外れ落ちないようにする。
【００２１】
前記を総括すると、本明細書は、ゴルフボールマーカー固定部品の構造について説明する。前記ゴルフボールマーカー固定部品の構造は、ベース部と、カバー部と、弾性部品と、第一固定部品と、からなる。前記カバー部はベース部の上に設けられるとともに、前記カバー部には一つの弧形容置空間を備える。前記弾性部品は前記カバー部の弧形容置空間内に設けられる。前記第一固定部品は前記ベース部に連接されるとともに、ベース部の下の方に向かって延伸する。本明細書設計によると、前記弾性部品は一つのボールマーカーを挟み固定させるのに用いられる。前記ボールマーカーは、前記カバー部の開口部から挿入されるとともに、前記弾性部品によって挟み固定される。前記第一固定部品は、ゴルフクラブの握り手側の尾端に固定される。本明細書によると、前記のゴルフボールマーカー固定部品の構造も、一つの適切な直径を備えた硬貨を用いることができる。本明細書の設計によると、前記ゴルフボールマーカー固定部品の構造をゴルフクラブと接合させることができ、これによって、持ち運びがしやすくなるだけでなく、更に大幅に使用者の使用便利性を向上させることができる。使用者がクラブでボールを打とうとする時、先にクラブ尾端のゴルフボールマーカー固定部品の構造からボールマーカーを取り出す、或いはボールマーカーをクラブ尾端のゴルフボールマーカー固定部品の構造に収納することが可能である。さらに、前記ゴルフボールマーカー固定部品の構造も硬貨を挟んで固定させるのにも用いることができるため、使用者にとって、本明細書が示すゴルフボールマーカー固定部品の構造を、硬貨を持ち運ぶ道具としても活用できる。言い換えれば、本明細書は、使用便利性及び運びやすさを兼ね備えたゴルフボールマーカー固定部品の構造を提供する。
【符号の説明】
【００２２】
１００    ゴルフボールマーカー固定部品の構造
１２０    ベース部
１２２    第一固定孔
１２４    第二固定孔
１４０    カバー部
１６０    弾性部品
１６２    第一湾曲部
１６４    第二湾曲部
１６６    第二固定部品
１８０    第一固定部品
２００    ボールマーカー
３００    クラブ
３２０    弾性孔
４００    ゴルフボールマーカー固定部品の構造
４２０    ベース部
４２２    第一固定孔
４４０    カバー部
４４２    凹入開口部
４６０    弾性部品
４６２    第一湾曲部
４６４    第二湾曲部
４８０    第一固定部品
【図１】
0003214700.tif 000003
【図２】
0003214700.tif 000004
【図３】
0003214700.tif 000005
【図４Ａ】
0003214700.tif 000006
【図４Ｂ】
0003214700.tif 000007